(57)【要約】【課題】  蓋体の開閉動作時において、該蓋体を任意位置で保持することを可能として、操作感を向上する。【解決手段】  天板２のコード取出用孔５に嵌合保持される上下に貫通した枠体８と、枠体８の側壁１４，１４に形成された軸受孔１６に嵌合する支軸部２４及びフランジ部２５が設けられたピボット体２１と、閉状態にて枠体８の上部開口を覆い、枠体８の上面８ｂと略面一となる蓋部１２及び回動支持部１３，１３が設けられ、回動支持部１３がピボット体２１と連結された蓋体１０とを備え、フランジ部２５と側壁外面１４ｂとの摺動面に、フランジ部２５に枠体８に向かって突出する凸部２６を形成し、フランジ部２５を前記摺動面の垂直方向に弾性変形させた状態で、ピボット体２１と枠体８とを相対的に回動可能として蓋体１０を開閉可能となし、蓋体１０を該開閉動作の任意位置で保持可能とした。【選択図】        図２
2006149733.tif 000002
【特許請求の範囲】
【請求項１】
机天板等に設けられた配線用開口に嵌合保持される、少なくとも上側を開放してなる枠体と、
該枠体の対向側壁に形成された軸受孔に嵌合して回動するピボット体と、
該ピボット体に連結され又は該ピボット体と一体に形成され、閉状態にて前記蓋体の配線用開口を覆う蓋体と、
前記ピボット体と前記枠体若しくは蓋体との間に設けられた弾性体による付勢力により前記蓋体の回動を抑制する回動抑制手段、又は、前記ピボット体と前記枠体との間に設けられたダンパーによる運動エネルギーの散逸により前記蓋体の回動を抑制する回動抑制手段とを備え、該蓋体を開閉動作の任意位置で保持可能としてなることを特徴とする机天板等における配線カバー装置。
【請求項２】
前記ピボット体が、前記軸受孔に嵌合する支軸部及び該支軸部から張り出すフランジ部により構成され、該フランジ部と前記枠体の側壁の内面又は外面との摺動面には、該フランジ部又は枠体の少なくとも一方に他方に向かって突出する凸部が形成されてなり、
前記回動抑制手段が、該凸部により弾性変形した前記フランジ部である請求項１記載の机天板等における配線カバー装置。
【請求項３】
前記ピボット体のフランジ部又は前記枠体の側壁における、前記凸部との摺動面の適宜位置に、少なくとも一つの凸部又は凹部を設けてなる請求項２記載の机天板等における配線カバー装置。
【請求項４】
前記ピボット体に、前記蓋体の上面が前記枠体の上面と略直交する開状態において、該蓋体を下方へスライド可能に支持するスライド支持部を形成し、該開状態において該蓋体の全部又は一部を前記枠体の上面より下側に収納可能としてなる請求項１〜３のいずれかに記載の机天板等における配線カバー装置。
【請求項５】
前記ピボット体のスライド支持部と前記蓋体との摺動面に、いずれか一方から他方へ向かって突出する凸部を形成し、該スライド支持部に設けた押圧片を該摺動面の垂直方向に弾性変形させた状態で、前記蓋体を前記ピボット体に対して下方へスライド可能となし、該蓋体を該スライド動作の任意位置で保持可能としてなる請求項４記載の机天板等における配線カバー装置。
【発明の詳細な説明】
【技術分野】
【０００１】
本発明は、ＯＡ用机、テーブル等の机天板等において、該天板上で使用するＯＡ機器や電話機等へ各種コード類を配線するために天板に設けられたコード取出用の孔又は切欠きへ装着される配線カバー装置に関するものである。
【背景技術】
【０００２】
従来の机天板等における配線カバー装置として、各種コード類を天板下方空間から机天板上へ取り出してこれら机天板上で使用される各種機器へ配線可能とするだけでなく、これにコンセントボックスを取付け可能とするために、机天板の巾方向に沿って左右に長いコード取出口を被覆するカバー装置であって、上方へ開口し、前記机天板のコード取出口の巾方向の適所へ着脱自在に内嵌しうる有底のボックス状に形成してなり、前記開口部に開閉自在な蓋体を設け、該蓋体にコード取出用切欠部を設け、上縁部に机天板のコード取出口の開口縁へ係止する張り出し片を設けてなる装置本体の底面に上下に貫通する開窓部を設けるとともに、該開窓部の周囲をコンセントボックス取付部として開窓部にプラグ差し込み口を臨ませた状態で装置本体の下面にコンセントボックスを取付可能としてなるもの（特許文献１参照。）等がある。
【０００３】
また、机天板等に設けられたコード取出孔を開閉する蓋体（上蓋）の開閉動作が簡単で、且つ該蓋体がコード取出時に天板上で邪魔になったり、また、該蓋体を紛失したりすることなく簡易に収納可能とするために、机天板等に設けられたコード取出孔に嵌合保持される上下に貫通した枠体と、前記枠体の上部開口を開閉自在に被覆する蓋体とよりなり、前記枠体の側壁に軸受孔を形成し、該軸受孔に連通し軸受孔の径よりも小巾として上方に開口した挿入溝及び前記軸受孔から下方へ連続する案内溝を設けるとともに、前記蓋体には前記枠体の軸受孔へ挿着可能であり且つ該蓋体を略立起させた状態で前記挿入溝及び案内溝へ挿通可能とした断面偏平状の突軸を設けて構成してなるもの（特許文献２参照。）、一端に垂下部とコ−ド挿通切欠きを設け、他端に下方に向けて形成した半円弧状の湾曲部を設けた上蓋と、前記垂下部が上蓋の閉蓋状態で当接する支持突部と前記湾曲部を回動自在に保持する回動保持部を有し、かつ下面を開口した保持枠とを備え、上蓋を回動して垂直の開蓋状態にした際、上蓋を保持枠に対して昇降自在となし、下降状態で前記垂下部と前記回動保持部が当接するように構成してなるもの（特許文献３参照。）等がある。
【０００４】
【特許文献１】実公平６−３７７２９号公報（第１−６図）
【特許文献２】実公平７−５０８３９号公報（第１−９図）
【特許文献３】実公平６−４２４９９号公報（図１−３）
【発明の開示】
【発明が解決しようとする課題】
【０００５】
以上のような従来の机天板等における配線カバー装置の構成では、特許文献１の構成では、前記蓋体の開閉動作時において、該蓋体を任意位置で保持することができないため、操作感が悪いと共に、特に運搬時又はレイアウト変更時等において、該カバー装置が装着された机の天地を逆にすると、蓋体が垂れ下がり、該蓋体が損傷する場合がある等の問題点がある。
【０００６】
また、特許文献２及び特許文献３の構成においても、前記蓋体（上蓋）の開閉動作時及び収納動作時において、同様の問題点がある。
【０００７】
本発明は、前記のような課題を解決するためになされたものであり、蓋体の開閉動作時又は収納動作時において、該蓋体を任意位置で保持することを可能として、操作感及び信頼性を向上することにより付加価値を高めることができる机天板等における配線カバー装置を得ることを目的とする。
【課題を解決するための手段】
【０００８】
本発明に係る机天板等における配線カバー装置は、前記課題解決のために、机天板等に設けられた配線用開口に嵌合保持される、少なくとも上側を開放してなる枠体と、該枠体の対向側壁に形成された軸受孔に嵌合して回動するピボット体と、該ピボット体に連結され又は該ピボット体と一体に形成され、閉状態にて前記蓋体の配線用開口を覆う蓋体と、前記ピボット体と前記枠体若しくは蓋体との間に設けられた弾性体による付勢力により前記蓋体の回動を抑制する回動抑制手段、又は、前記ピボット体と前記枠体との間に設けられたダンパーによる運動エネルギーの散逸により前記蓋体の回動を抑制する回動抑制手段とを備え、該蓋体を開閉動作の任意位置で保持可能としてなるものである。
【０００９】
ここで、前記ピボット体が、前記軸受孔に嵌合する支軸部及び該支軸部から張り出すフランジ部により構成され、該フランジ部と前記枠体の側壁の内面又は外面との摺動面には、該フランジ部又は枠体の少なくとも一方に他方に向かって突出する凸部が形成されてなり、前記回動抑制手段が、該凸部により弾性変形した前記フランジ部であると好ましい。
【００１０】
また、前記ピボット体のフランジ部又は前記枠体の側壁における、前記凸部との摺動面の適宜位置に、少なくとも一つの凸部又は凹部を設けてなると好ましい。
【００１１】
さらに、前記ピボット体に、前記蓋体の上面が前記枠体の上面と略直交する開状態において、該蓋体を下方へスライド可能に支持するスライド支持部を形成し、該開状態において該蓋体の全部又は一部を前記枠体の上面より下側に収納可能としてなると好ましい。
【００１２】
さらにまた、前記ピボット体のスライド支持部と前記蓋体との摺動面に、いずれか一方から他方へ向かって突出する凸部を形成し、該スライド支持部に設けた押圧片を該摺動面の垂直方向に弾性変形させた状態で、前記蓋体を前記ピボット体に対して下方へスライド可能となし、該蓋体を該スライド動作の任意位置で保持可能としてなると好ましい。
【発明の効果】
【００１３】
本発明に係る机天板等における配線カバー装置によれば、机天板等に設けられた配線用開口に嵌合保持される、少なくとも上側を開放してなる枠体と、該枠体の対向側壁に形成された軸受孔に嵌合して回動するピボット体と、該ピボット体に連結され又は該ピボット体と一体に形成され、閉状態にて前記蓋体の配線用開口を覆う蓋体と、前記ピボット体と前記枠体若しくは蓋体との間に設けられた弾性体による付勢力により前記蓋体の回動を抑制する回動抑制手段、又は、前記ピボット体と前記枠体との間に設けられたダンパーによる運動エネルギーの散逸により前記蓋体の回動を抑制する回動抑制手段とを備え、該蓋体を開閉動作の任意位置で保持可能としてなるので、該蓋体を滑らかに開閉することができ、該開閉動作時における操作感を向上することができる。また、該蓋体を開閉動作の任意位置で保持させた状態で配線作業を行うことができる。さらに、運搬時又はレイアウト変更時等において、机の天地を逆にしても蓋体が垂れ下がることがなくなり、該蓋体の損傷を防止することができるため、信頼性の向上を図ることができる。さらにまた、該配線カバー装置が装着された机の意匠性を向上させることができる。したがって、該配線カバー装置の付加価値を高めることができる。
【００１４】
また、前記ピボット体が、前記軸受孔に嵌合する支軸部及び該支軸部から張り出すフランジ部により構成され、該フランジ部と前記枠体の側壁の内面又は外面との摺動面には、該フランジ部又は枠体の少なくとも一方に他方に向かって突出する凸部が形成されてなり、前記回動抑制手段が、該凸部により弾性変形した前記フランジ部であると、より簡素な構成により前記回動抑制手段を構成することができるため、コスト低減化及び高信頼性化を図ることができる。
【００１５】
さらに、前記ピボット体のフランジ部又は前記枠体の側壁における、前記凸部との摺動面の適宜位置に、少なくとも一つの凸部又は凹部を設けてなると、例えば所定位置でクリック感が得られる等、操作感に変化をもたせることができると共に機能性を高めることができる。したがって、配線カバー装置の付加価値をさらに高めることができる。
【００１６】
さらにまた、前記ピボット体に、前記蓋体の上面が前記枠体の上面と略直交する開状態において、該蓋体を下方へスライド可能に支持するスライド支持部を形成し、該開状態において該蓋体の全部又は一部を前記枠体の上面より下側に収納可能としてなると、配線時に前記蓋体が前記天板上で邪魔になることがないため、配線作業性を向上することができると共に、該蓋体の紛失を防止することができる。
【００１７】
また、前記ピボット体のスライド支持部と前記蓋体との摺動面に、いずれか一方から他方へ向かって突出する凸部を形成し、該スライド支持部に設けた押圧片を該摺動面の垂直方向に弾性変形させた状態で、前記蓋体を前記ピボット体に対して下方へスライド可能となし、該蓋体を該スライド動作の任意位置で保持可能としてなると、該蓋体を滑らかに落とし込んで収納することができるため、該蓋体の収納動作時における操作感を向上することができる。また、該蓋体を開閉動作の任意位置で保持させた状態で配線作業を行うこともできる。さらに、運搬時又はレイアウト変更時等において、机の天地を逆にしても蓋体が垂れ下がることがなくなり、該蓋体の損傷を防止することができるため、信頼性の向上を図ることができる。
【発明を実施するための最良の形態】
【００１８】
次に、本発明の実施の形態を添付図面に基づき詳細に説明するが、本発明は、添付図面に示された形態に限定されず特許請求の範囲に記載の要件を満たす実施形態の全てを含むものである。本発明に係る机天板等における配線カバー装置は、机天板等のコード取出用孔又はコード取出用切欠きから大容量のコード類を取出す場合、大きなコネクタ又はプラグ等を挿通させる場合、又は、このコード取出用孔又はコード取出用切欠き内にコンセントを設けてプラグを差し込むような場合には、該配線カバー装置の蓋体を開いて、該配線作業を容易に行うことができるものである。また、机天板等のコード取出用孔又はコード取出用切欠きを通して配線を行わない場合には、該配線カバー装置の蓋体を閉じることにより、すっきりとした外観、よりフラットな印象により意匠性を向上することができるものである。なお、以下において、椅子に座って机に向かった状態で、手前側を前、その反対側を後、左側を左、右側を右とする。
【００１９】
実施の形態１．
図１〜図３は、本発明の実施の形態１に係る机天板等における配線カバー装置の説明図であり、図１は本発明の実施の形態１に係る配線カバー装置を装着した机の例を示す上方から見た斜視図、図２は本発明の実施の形態１に係る配線カバー装置の分解斜視図、図３は同じく要部分解斜視図である。
【００２０】
図１において、机１は、支脚４，４及び該支脚４，４により支持された天板２により構成されており、天板２後部の左右には天板２の左右方向に沿って横長に開口したコード取出用孔５，５が穿設され、該コード取出用孔５，５には配線カバー装置７，７が装着されている。このように、机１は天板２のコード取出用孔５，５が配線カバー装置７，７によって覆われたすっきりとした外観となっており、意匠性が向上している。そして、天板２の下側の空間には図示しない配線ダクト等を設けて配線用の空間を設けており、この配線用の空間又は机１の後面側からコード取出用孔５，５を通して、コード類を天板２上へ取り出し、天板２上で使用する図示しないＯＡ機器等への配線が可能となっている。
【００２１】
図２に示すように、例えばＡＢＳ、ポリアセタール、ポリプロピレン又はポリエチレンテレフタレート等の樹脂の射出成形により製作される枠体８は、上下に貫通すると共にコード取出用孔５に内嵌しうる形状とされ、その上端部には前後左右に張り出す張出片８ａが設けられている。したがって、枠体８を天板２の上側からコード取出用孔５に内嵌して、張出片８ａの下面を天板２上面に当接させ、コード取出用孔５に面して天板２下部に形成した段部５ａ・・・に枠体８の前後に設けた爪１８・・・を係止することにより、枠体８は天板２に容易に固定することができる。
【００２２】
電源用プラグ差込口１０２及び電話線用プラグ差込口１０３を備えたコンセントボックス１０１には、左右に張り出す取付片１０４，１０４が設けられているため、該取付片１０４，１０４を枠体８の載置部１０５，１０５に載置すれば、枠体８内にコンセントボックス１０１を容易に保持することができる。この状態で、取付片１０４，１０４と載置部１０５，１０５とをボルト又はセルフタッピングねじ等により締結することにより、コンセントボックス１０１は枠体８に固定される。このようなコンセントボックス１０１を使用することにより、机上で使用するＯＡ機器及び電話機等への電源供給、電話線の接続等を容易に行うことができる。なお、コンセントボックス１０１は着脱できるため、コンセントボックス１０１を使用しない場合は、天板２の下側の前記配線用の空間から前記のとおりコード取出用孔５，５を通してコード類を天板２上へ取り出して天板２上で使用するＯＡ機器等へ配線することができる。
【００２３】
図２及び図３に示すように、ピボット体２１は、例えばＡＢＳ、ポリアセタール、ポリプロピレン又はポリエチレンテレフタレート等の樹脂の射出成形により製作される外側ピボット体２２及び内側ピボット体２３により構成される。枠体８の対向側壁１４，１４に形成された軸受孔１６，１６には、外側ピボット体２２の支軸部２４が枠体８の外側から嵌入される。そして、該支軸部２４の先端部が側壁１４の内面１４ａから突出すると共に、該先端部の爪２４ｃ，２４ｃが側壁１４の内面１４ａに係止する。したがって、外側ピボット体２２は枠体８の軸受孔１６まわりに回動可能に保持される。このように、外側ピボット体２２の支軸部２４には爪２４ｃ，２４ｃが外方に突出しているが、該支軸部２４は孔が穿設されていると共に、スリット２４ａ，２４ａが形成されているため、該支軸部２４を弾性変形させて、前記軸受孔１６への嵌入を容易に行うことができる。
【００２４】
枠体８の側壁１４に嵌合した外側ピボット体２２に対して、該外側ピボット体２２の支軸部２４の孔から、内側ピボット体２３の軸部２７が嵌入される。そして、該軸部２７の先端の爪２７ｃ，２７ｃが外側ピボット体２２の支軸部２４の段部２４ｄ，２４ｄに係止する。このように、内側ピボット体２３の軸部２７には爪２７ｃ，２７ｃが外方に突出しているが、該軸部２７は孔が穿設されていると共に、スリット２７ａ，２７ａが形成されているため、該軸部２７を弾性変形させて、前記外側ピボット体２２の支軸部２４の孔への嵌入を容易に行うことができる。
【００２５】
また、前記のとおり内側ピボット体２３の軸部２７の爪２７ｃ，２７ｃが外側ピボット体２２の支軸部２４の段部２４ｄ，２４ｄと係合すると共に、内側ピボット体２３の軸部２７の根元側に形成された凸部２７ｂ・・・が外側ピボット体２２の支軸部２４のスリット２４ａ，２４ａ及び凹部２４ｂ，２４ｂに係合するため、外側ピボット体２２及び内側ピボット体２３は、強固に一体化する。したがって、外側ピボット体２２の支軸部２４から張り出すフランジ部２５及び内側ピボット体２３の軸部２７から張り出すフランジ部２８が、それぞれ枠体８の側壁１４の外面１４ｂ及び内面１４ａに当接した状態（当接面２５ａ，２８ａ）で、ピボット体２１は、安定して枠体８の軸受孔１６まわりに回動可能となる。
【００２６】
図２に示すように、蓋体１０には、閉状態にて枠体８の上部開口を覆い、該枠体８の上面８ｂと略面一となる蓋部１２及び該蓋部１２から垂下する回動支持部１３，１３が設けられており、該回動支持部１３，１３にはスライド溝１３ａ，１３ａが形成されている。したがって、該回動支持部１３，１３が内側ピボット体２３，２３に設けられたスライド支持部２９，２９に外嵌され、蓋体１０はピボット体２１，２１と連結される。
【００２７】
よって、蓋体１０は、ピボット体２１，２１と共に軸受孔１６，１６まわりに回動して枠体８の上部開口を開閉すると共に、ピボット体２１，２１に対して、スライド支持部２９，２９をガイドとして、スライドすることができる。なお、内側ピボット体２３のスライド支持部２９は、蓋体１０の上面が枠体８の上面８ｂと略直交する開状態において、該蓋体１０の回動支持部１３を下方へスライド可能に支持する方向に設けられている。
【００２８】
また、蓋体１０の蓋部１２の開放端縁１９には、コード取出用切欠き２０ａを設けると共に、該コード取出用切欠き２０ａに蟻溝嵌合等により着脱可能とした蓋片２０ｂを設けているため、配線量が少ない場合は、蓋片２０ｂを取り外すことにより、蓋体１０を閉じた状態で、コード取出用切欠き２０ａを通して机１の天板２の上側と下側との配線を行うことができる。また、配線するコード類に大きなコネクタ等が付いている場合において、配線カバー７の蓋体１０を開いて該コネクタ等を通して配線し、配線完了後に蓋体１０を閉じた状態でコード取出用切欠き２０ａからコード類を通すことにより、該コード類まわりがすっきりとした印象となり、意匠性を向上させることができる。なお、取り外した蓋片２０ｂは、枠体８の内側の前方の中央部に設けられた蓋片保持部３２ｃ（図５及び図６参照。）に保持しておくことにより、該蓋片２０ｂの紛失を防止することができる。
【００２９】
図３に示すように、外側ピボット体２２のフランジ部２５には、枠体８の側壁１４の外面１４ｂ側に突出する凸部２６，２６が１８０°等分で形成されている。そして、該フランジ部２５にはスリット２５ｂ・・・が形成されているため、該フランジ部２５は弾性変形しやすくなっている。したがって、前記のとおり、外側ピボット体２２と内側ピボット体２３とを組み合わせて一体化した状態で、外側ピボット体２２のフランジ部２５の当接面２５ａが枠体８の側壁１４の外面１４ｂに当接し、内側ピボット体２３のフランジ部２８の当接面２８ａが側壁１４の内面１４ａに当接した状態から、該フランジ部２５の凸部２６，２６が形成された部分は、ピボット体２１と枠体８との摺動面の垂直方向に弾性変形した状態となる。
【００３０】
よって、この状態では、該フランジ部２５の凸部２６，２６が形成された部分が弾性変形して枠体８の側壁１４の外面１４ｂに向かう方向の弾性付勢力が働くため、ピボット体２１，２１に連結される蓋体１０は、該蓋体１０の開閉動作の任意位置で保持可能となる。したがって、該蓋体１０を滑らかに開閉することができるようになるため、該開閉動作時における操作感を向上することができる。このような簡素な構成により、弾性付勢力を作用させて蓋体１０の回動を抑制する回動抑制手段を構成することができるため、コスト低減化及び高信頼性化を図ることができる。また、このような弾性付勢力は、枠体８に対するピボット体２１の回動（蓋体１０の開閉）を通じて一定とすることもできるし、後述するように、前記側壁１４の外面１４ｂの前記凸部２６の摺動面に適宜の深さの周溝１７等を形成すれば操作感を容易に変えることができるため、操作性及び機能性を向上することができる。なお、このように蓋体１０を開閉動作の任意位置で保持可能としても、ピボット体２１は樹脂製であり比較的変形しやすいため、ピボット体２１を枠体８に対して容易に回動させることができるため、操作性が悪化することはない。
【００３１】
このようにピボット体２１と枠体８間に弾性付勢力を作用させる構成は、内側ピボット体２３のフランジ部２８に枠体８の側壁１４の内面１４ａ側に突出する凸部を形成することによってもよい。また、側壁１４側（外面１４ｂ又は内面１４ａ）に凸部を形成してもよい。さらに、樹脂製の外側ピボット体２２のフランジ部２５を弾性変形させ、該フランジ部２５の復元力により弾性付勢力を作用させる構成ではなく、ピボット体２１と枠体８との間に、例えば、ばね定数を比較的小さく設定してなる、スリットが入った樹脂製又は金属製の皿ばね（皿形の歯付座金のようなもの）を組み込む構成、又は、ダイヤフラム状若しくはベローズ状等の変形しやすい形状の樹脂等の成形品を組み込む構成等により、前記弾性付勢力を作用させてもよい。
【００３２】
以上のようにピボット体（外側ピボット体２２と内側ピボット体２３とにより構成されるピボット体２１に限定されない。）と枠体８との間に、弾性付勢力を作用させて蓋体１０の回動を抑制する回動抑制手段である弾性体（前記外側ピボット体２２のフランジ部２５のように、ピボット体２１と一体のものであってもよい。）を備えることにより、蓋体１０を開閉動作の任意位置で保持可能とすることができ、該蓋体１０を滑らかに開閉することができるため、該開閉動作時における操作感を向上することができる。
【００３３】
また、このような蓋体１０の回動を抑制する回動抑制手段である弾性体をピボット体と枠体８との間に設けるのではなく、蓋体とピボット体とを、例えば角状の凹凸嵌合等により、相対的に回動はしないが左右方向には相対的に移動可能に連結し、該蓋体とピボット体との間に設けた弾性体によりピボット体を枠体方向に付勢する構成としてもよい。このような構成によっても、ピボット体の枠体に対する回動が抑制されるため、蓋体１０の回動を抑制する回動抑制手段を構成することができる。
【００３４】
さらに、ピボット体２１と枠体８との間に、例えば、オイルダンパー、空気ダンパー又は摩擦ダンパー等の運動エネルギーを散逸させて回動を抑制する回動抑制手段であるダンパーを組み込む構成等を採用することもでき、このような構成によっても蓋体１０を開閉動作の任意位置で保持可能とすることができ、該蓋体１０を滑らかに開閉することができるため、該開閉動作時における操作感を向上することができる。
【００３５】
図４は、ピボット体の凸部と枠体の側壁外面に形成した周溝との関係を示す説明図であり、図４（ａ）は側面図、図４（ｂ）は周溝を展開して示す断面図である。また、図５及び図６は配線カバー装置の縦断側面図であり、図５（ａ）は蓋体を閉じた閉状態、図５（ｂ）は蓋体を若干開いた状態、図６（ａ）は蓋体を約９０°開いた開状態、図６（ｂ）は蓋体を下方へスライドさせた収納状態を示している。図４（ｂ）において、側壁１４の外面１４ｂに形成した周溝１７の深さは、該周溝１７内を移動するピボット体２１の凸部２６の位置Ａ、位置Ｂ及び位置Ｅの深さＬ１が、位置Ｃから位置Ｄまでの深さよりＬ２も小さく設定されている。
【００３６】
図５（ａ）の閉状態では、枠体８の内側の前方の中央部の左右に形成された段部３２ａ，３２ａ（図２及び図５（ｂ）も参照。）に蓋体１０の開放端縁１９の中央部（コード取出用切欠き２０ａ）の左右の下面が当接すると共に、枠体８の内側の前方の左右に形成された段部３２ｂ，３２ｂに蓋体１０の開放端縁１９の左右下面に形成された係止片３５，３５が当接して、蓋体１０は枠体８の上面８ｂと略面一となっている。また、枠体８の後壁には孔３３，３３が形成されており（図２も参照。）、該孔３３，３３により枠体８とピボット体２１，２１のスライド支持部２９，２９との干渉を避けている。なお、閉状態にて、該孔３３，３３の上面にスライド支持部２９，２９を当接させれば、該当接によりストッパ機能を持たせることができる。
【００３７】
この閉状態では、ピボット体２１の凸部２６は周溝１７内の位置Ａ（図４参照。）にある。この位置では、周溝１７の深さＬ１が比較的大きく設定されている。したがって、前記フランジ部２５による弾性付勢力が比較的小さくなっている。なお、この状態では、周溝Ｌ１の深さを該弾性付勢力が無くなるような深さとしてもよい。凸部２６が周溝１７内の位置Ａにある状態から、図５（ａ）の矢印Ｐのように、蓋体１０の開放端縁１９と反対側の端縁近傍を下方に押せば、凸部２６は凹溝１７内の凸部５１を越えて位置Ｂへ容易に移動する。したがって、小さい操作力で容易に蓋体１０が回動して若干開いた状態となる（図５（ｂ）参照。）。
【００３８】
凸部２６が周溝１７内の位置Ｂにある状態から、図５（ｂ）の蓋体１０の開放端縁１９を持って蓋体１０をさらに開けば、凸部２６は凹溝１７内の凸部５２（凸部５２の上面は側壁１４の外面１４ｂと面一となっているが、該外面１４ｂよりも高くしてもよいし、該外面１４ｂよりも低くしてもよい。）を越えて位置Ｃへ移動する。この位置では、周溝１７の深さＬ２が比較的小さく設定されている。したがって、前記フランジ部２５による弾性付勢力が比較的大きくなっているため、蓋体１０の位置を保持する力が比較的大きくなっている。そして、この状態で、位置Ｄまで同じ操作感で蓋体１０を開くことができる。なお、該操作時には、蓋体１０の回動の中心（軸受孔１６の中心）から操作部である蓋体１０の開放端縁１９までの距離が比較的大きいため、該回動のためのモーメントが大きくなり、比較的小さい操作力で容易に蓋体１０を回動させることができる。
【００３９】
次に、凸部２６が周溝１７内の位置Ｄにある状態から、蓋体１０をさらに開けば、凸部２６は凹溝１７内の凸部５３（凸部５３の上面は側壁１４の外面１４ｂと面一となっているが、該外面１４ｂよりも高くしてもよいし、該外面１４ｂよりも低くしてもよい。）を越えて位置Ｅへ移動する（図６（ａ）参照）。この状態が、蓋体１０を最も開いた（蓋体１０を約９０°開いた）開状態であり、該状態から蓋体１０を閉じる方向で動かすためには、ピボット体２１の凸部２６が凹溝１７内の凸部５３を越える操作力が必要となるため、該開状態に蓋体１０は安定保持される。
【００４０】
以上のとおり、ピボット体２１と枠体８との間に弾性付勢力が作用するようにすることにより、蓋体１０を、その開閉動作の任意位置で容易に保持可能とすることができる。したがって、操作感を向上することができる。また、運搬時又はレイアウト変更時等において、机の天地を逆にしても蓋体１０が垂れ下がることがなくなり、該蓋体１０の損傷を防止することができるため、信頼性の向上を図ることができる。さらに、ピボット体２１の凸部２６が摺動する枠体８の外面１４ｂの摺動面に周溝１７等の適宜の深さの凹部、又は凸部５１ないし５３等の適宜の高さの凸部を形成すれば、例えば所定位置でクリック感が得られる等、操作感に変化をもたせることができると共に機能性を高めることができる。したがって、配線カバー装置の付加価値を高めることができる。
【００４１】
次に、蓋体１０の収納について説明する。図６（ａ）の開状態においては、前記のとおり、ピボット体２１のスライド支持部２９は、蓋体１０の回動支持部１３を下方へスライド可能に支持する方向となっている。そして、前記のとおり、蓋体１０は、ピボット体２１，２１に対して、スライド支持部２９，２９をガイドとして、スライドさせることができるため、蓋体１０を枠体８の上面８ｂよりも下側に収納することができる（図６（ｂ）参照。）。したがって、蓋体１０が配線時に天板２上で邪魔になることがないと共に、蓋体１０を紛失することもない。
【００４２】
ここで、枠体８の左右の側壁内面１４ａ，１４ａには係止溝３４，３４が形成されており、該係止溝３４，３４に蓋体１０の開放端縁１９の左右下面に形成された係止片３５，３５が当接して、蓋体１０の下方への移動が規制され、蓋体１０の開放端縁１９と枠体８の上面８ｂとが略面一となる。なお、蓋体１０の収納は、必ずしも蓋体１０の全部を枠体８の上面８ｂよりも下側に収納せずに、蓋体１０の一部を枠体８の上面８ｂよりも下側に収納するように構成してもよい。
【００４３】
図２及び図６に示すように、ピボット体２１のスライド支持部２９には、前後方向の凸部３１・・・が先端に形成された押圧片３０・・・が片持ち梁状に設けられている。そして、該スライド支持部２９に外嵌する蓋体１０の回動支持部１３のスライド溝１３ａ内に押圧片３０・・・がある状態では、前記片持ち梁状の押圧片３０・・・が弾性変形して、蓋体１０の回動支持部１３に向かう弾性付勢力が働くため、蓋体１０は前記収納動作の任意位置で保持可能となり、該収納動作時における操作感を向上することができる。
【００４４】
本実施の形態の構成では、図６（ａ）の開状態から図６（ｂ）の収納状態まで蓋体１０を下降させる途中において、蓋体１０の回動支持部１３のスライド溝１３ａ内に押圧片３０がなくなるため、この位置から下では蓋体１０に前記弾性付勢力が働かないようになっている。しかし、本実施の形態と同様の構成により、図６（ａ）の開状態から図６（ｂ）の収納状態まで前記弾性付勢力が働くようにすることもできる。したがって、前記収納動作における蓋体１０の全ての位置において蓋体１０を保持させることもできる。
【００４５】
なお、このように蓋体１０を収納動作の任意位置で保持可能としても、ピボット体２１（スライド支持部２９）は樹脂製であり比較的変形しやすいため、操作性が悪化することはない。また、凸部３１・・・は押圧片３０・・・ではなく、回動支持部１３のスライド溝１３ａに形成してもよい。
【００４６】
実施の形態２．
図７〜図１１は、本発明の実施の形態２に係る机天板等における配線カバー装置の説明図であり、図７は本発明の実施の形態２に係る配線カバー装置を装着した机の例を示す上方から見た斜視図、図８は本発明の実施の形態２に係る配線カバー装置の分解斜視図、図９〜図１１は配線カバー装置の縦断側面図である。そして、図９（ａ）は蓋体を閉じた閉状態、図９（ｂ）は蓋体を若干開いた状態、図１０（ａ）は蓋体を約９０°開いた開状態、図１０（ｂ）は蓋体を下方へスライドさせた収納状態、図１１は蓋体を折り畳んで下方へスライドさせた収納状態を示している。
【００４７】
なお、図７〜図１１において、実施の形態１の図１〜図６と同一の符号は同一又は相当部分を示している。ピボット体２１と枠体９との関係は、実施の形態１におけるピボット体２１と枠体８との関係と同様である。すなわち、実施の形態２の枠体９の左右の対向側壁１５，１５の厚さ（内面１５ａと外面１５ｂとの距離）は、実施の形態１の左右の対向側壁１４，１４の厚さ（内面１４ａと外面１４ｂとの距離）と同一である。また、周溝１７も、実施の形態１と実施の形態２で同一の形状となっている。さらに、ビボット体２１も、実施の形態１と実施の形態２で共通のものである。したがって、例えば、実施の形態１における図４において、実施の形態１の図４（ｂ）の側壁１４の外面１４ｂを、側壁１５の内面１５ｂに置き換えれば、実施の形態２においても全く同様の関係となる。
【００４８】
図７において、机１は、支脚４，４及び該支脚４，４により支持された天板３により構成されており、天板３後端縁の左右には天板３の左右方向に沿って横長に開口したコード取出用切欠き６，６が形成され、該コード取出用切欠き６，６には配線カバー装置７，７が装着されている。このように、机１は天板４のコード取出用切欠き６，６が配線カバー装置７，７によって覆われたすっきりとした外観となっており、意匠性が向上している。そして、天板３の下側の空間には図示しない配線ダクト等を設けて配線用の空間を設けており、この配線用の空間又は机１の後面側からコード取出用切欠き６，６を通して、コード類を天板３上へ取り出し、天板３上で使用する図示しないＯＡ機器等への配線が可能となっている。
【００４９】
図８に示すように、例えばＡＢＳ、ポリアセタール、ポリプロピレン又はポリエチレンテレフタレート等の樹脂の射出成形により製作される枠体９は、上下に貫通すると共に端縁側を開放してなり、コード取出用切欠き６に嵌合しうる形状とされ、その上端部には前及び左右方向に張り出す張出片９ａが設けられていると共に、下端部には前方に張り出す張出片９ｄ，９ｄ（図９〜図１１参照。）及び左右方向に張り出す張出片９ｅ，９ｅが設けられている。したがって、枠体９の張出片９ａの下面を天板３の上面に当接させ、張出片９ｄ，９ｄをコード取出用切欠き６の前下部の係合凹部６ａ，６ａに係合させ、張出片９ｅ，９ｅをコード取出用切欠き６の左右下部の係合凹部６ｂ，６ｂに係合させれば、枠体９は天板３に容易に固定することができる。なお、枠体９は樹脂製であり比較的変形しやすいため、このような天板３への取付けを容易に行うことができる。ここで、例えば枠体９の左右を天板３の切欠き６の左右にタッカー止め等により固定すれば、より強固に枠体９を天板３に固定することができる。また、枠体９は、必ずしも上下に貫通する形状である必要はなく、例えば上下寸法を大きくした場合等においては、下面の全部又は一部に底板を設ける構成を採用してもよい。このような底板を設けた場合においては、該底板上に余剰配線等を収納することができる。
【００５０】
また、図８に示すように、蓋体１１には、閉状態にて、枠体９の上部開口を覆い該枠体９の上面９ｂと略面一となる上蓋部１２ａ、及び、枠体９の端縁部開口を覆い該枠体９の端縁側垂直面９ｃ，９ｃと略面一となる端蓋部１２ｂからなる側面視略Ｌ字状の蓋部、並びに、該上蓋部１２ａから垂下する回動支持部１３，１３が設けられており、該回動支持部１３，１３には実施の形態１と同様にスライド溝１３ａ，１３ａが形成されている。したがって、該回動支持部１３，１３が実施の形態１と同様に内側ピボット体２３，２３に設けられたスライド支持部２９，２９に外嵌され、蓋体１１はピボット体２１，２１と連結される。
【００５１】
上蓋部１２ａの開放端縁１９の左右端には垂下片３９，３９が形成されており、該垂下片の内側には図示しない孔が形成されている。また、端蓋部１２ｂの上蓋部１２ａ側端縁には支軸部４０，４１が設けられ、該支軸部４０，４１から左右に突出する突軸が形成されている。したがって、該端蓋部１２ｂの突軸を該上蓋部１２ａの孔に嵌合させることにより、端蓋部１２ｂは上蓋部１２ａに軸支されて回動可能となる。
【００５２】
支軸４０に設けられたばね支軸４０ａにねじりコイルばね１２ｃのコイル部を外嵌して、上蓋部１２ａ及び端蓋部１２ｂ間に組み込めば、該ねじりコイルばね１２ｃによる付勢力により、上蓋部１２ａの開放端縁１９の下面４２と端蓋部１２ｂの上面４３とが当接して端蓋部１２ｂの後方への回動が規制された状態となり、該蓋部は側面視略Ｌ字状となる（図９〜図１１参照。）。なお、ばね支軸４０ａを支軸部４０，４１に設けて、２個のねじりコイルばね１２ｃ，１２ｃを組み込んでもよい。また、ねじりコイルばね１２ｃ以外にも平板状のねじりばね、トーションバー等の弾性体を用いることもできる。
【００５３】
このように構成されてなる側面視略Ｌ字状の蓋部を有する蓋体１１は、端蓋部１２ｂが上蓋部１２ａに重なる方向、例えば図９の閉状態における前方には、該弾性体による付勢力に抗して支軸４０まわりに回動可能となっている。したがって、机１の天板３を対向配置して配線カバー装置７，７同士が近接又は当接する場合等においても、蓋体１１の開閉が可能となるため、隣接する机間の配線の引き回し等も容易となる。
【００５４】
図９（ａ）の閉状態では、枠体９の左右の側壁１５，１５の段部１５ａ，１５ａに上蓋部１２ａ下面が当接して、該上蓋部１２ａにより枠体９の上部開口が覆われ、上蓋部１２ａの上面と枠体９の上面９ｂとは略面一となっている。また、端蓋部１２ｂにより枠体９の端縁部開口が覆われ、端蓋部１２ｂの後面と端縁側垂直面９ｃとは略面一となっている（図９（ｂ）も参照。）。このように、該閉状態では、バックビューがフラットな見えがかりとなっており、意匠性が向上している。
【００５５】
実施の形態２における蓋体１１の開閉動作及び収納動作並びに操作感は実施の形態１と略同様であり、図９（ａ）の閉状態から、矢印Ｐのように、蓋体１１の開放端縁１９と反対側の端縁近傍を下方に押せば、蓋体１１が回動して若干開いた状態となる（図９（ｂ）参照。）。そして、図９（ｂ）の蓋体１１の開放端縁１９を持って蓋体１１をさらに開けば、実施の形態１と同様にして、図１０（ａ）のような蓋体１１を最も開いた（蓋体１１を約９０°開いた）開状態とすることができる。このように、側面視略Ｌ字状の蓋部を有する蓋体１１を開くという一つの動作により、枠体９の上部開口及び端縁部開口の両開口を開放することができる。
【００５６】
次に、蓋体１１の収納について説明する。実施の形態１と同様にして、図１０（ａ）の開状態から、図１０（ｂ）の収納状態まで、蓋体１１を下方へスライドさせて枠体９の上面９ｂよりも下側に収納することができる。この収納状態では、枠体９の上部開口の一部（前側）が蓋体１１の端蓋部１２ｂにより覆われた半開状態となっている。
【００５７】
ここで、図１０（ｂ）の収納状態では、枠体９の左右の側壁１５，１５の段部１５ｃ，１５ｃに蓋体１１の端蓋部１２ｂが当接して、蓋体１１の下方への移動が規制され、端蓋部１２ｂと枠体９の上面９ｂとが略面一となっている。また、側壁１５，１５の段部１５ｃ，１５ｃに係止溝３６，３６を設けて、蓋体１１の端蓋部１２ｂの端蓋部先端３７の係止縁３７ａを係合させるようにしてもよい。
【００５８】
図１０（ｂ）の蓋体１１を折り畳まずに落とし込んだ半開状態の収納状態から、例えば図１０（ａ）の位置まで蓋体１１を上昇させる場合には、端蓋部１２ｂ（例えば、端蓋部先端３７）を持って引き上げる必要がある。したがって、該引き上げ時に必要な剛性及び強度を確保するために、該端蓋部１２ｂには補強リブ４４を設けている（図８も参照。）。なお、該補強リブ４４は、格子状又は井桁状等、適宜の形態とすることができる
【００５９】
蓋体１１は、前記のとおり、別体の上蓋部１２ａ及び端蓋部１２ｂ間に弾性体であるねじりコイルばねを組み込んで、該弾性体による付勢力によって通常状態において側面視略Ｌ字状となっているが、該付勢力に抗して端蓋部１２ｂを上蓋部１２ａに重なるように折り畳み可能となっている。したがって、このような蓋体１１の折り畳み状態で、図１０と同様に蓋体１１を下方へスライドさせて枠体９の上面９ｂよりも下側に収納することができる（図１１参照。）。この収納状態では、枠体９の上部開口が全開状態となっている。
【００６０】
ここで、図１１の収納状態では、枠体９の左右の側壁１５，１５に設けた段部３８に、折り畳んだ状態の蓋体１１の端蓋部１２ｂの端蓋部先端３７が当接して、蓋体１１の下方への移動が規制され、上蓋部１２ａと枠体９の上面９ｂとが略面一となっている。なお、段部３８の前縁には立起部３８ａが設けられているため、端蓋部１２ｂの前方への移動が規制される。したがって、例えば、図１１の収納状態において、蓋体１１の上蓋部１２ａの下部に前方への力が作用しても、蓋体１１が抜け落ちることはない。
【００６１】
以上のように、枠体９の上部開口が前記半開状態又は全開状態となるように蓋体１１を収納することができるため、蓋体１１が配線時に天板３上で邪魔になることがないと共に、蓋体１１を紛失することもない。また、配線量等に応じて前記半開状態又は全開状態の蓋体１１の収納状態を選択し、使用形態に合わせた蓋体の収納状態とすることが容易にできるため、天板３の該コード取出用切欠き６まわりの配線をよりすっきりとした印象とすることができ、機能性及び意匠性の向上を図ることができる。例えば、前記半開状態は、配線コード等の挿通に適している。また、前記全開状態は、大きなコネクタ又はプラグ等の挿通又は枠体９にコンセントボックス１０１を取り付けた状態での使用等に適している。
【００６２】
以上の説明においては、上蓋部１２ａと端蓋部１２ｂとを別体とする場合について説明したが、上蓋部１２ａと端蓋部１２ｂとを一体としてもよい。
【００６３】
なお、本明細書における「机」には、いわゆるテーブルの概念も含むものである。
【図面の簡単な説明】
【００６４】
【図１】本発明の実施の形態１に係る机天板等における配線カバー装置を装着した机の例を示す上方から見た斜視図である。
【図２】本発明の実施の形態１に係る配線カバー装置の分解斜視図である。
【図３】同じく要部分解斜視図である。
【図４】ピボット体の凸部と枠体の側壁外面に形成した周溝との関係を示す説明図であり、（ａ）は側面図、（ｂ）は周溝を展開して示す断面図である。
【図５】配線カバー装置の縦断側面図であり、（ａ）は蓋体を閉じた閉状態、（ｂ）は蓋体を若干開いた状態を示している。
【図６】配線カバー装置の縦断側面図であり、（ａ）は蓋体を約９０°開いた開状態、（ｂ）は蓋体を下方へスライドさせた収納状態を示している。
【図７】本発明の実施の形態２に係る机天板等における配線カバー装置を装着した机の例を示す上方から見た斜視図である。
【図８】本発明の実施の形態２に係る配線カバー装置の分解斜視図である。
【図９】配線カバー装置の縦断側面図であり、（ａ）は蓋体を閉じた閉状態、（ｂ）は蓋体を若干開いた状態を示している。
【図１０】配線カバー装置の縦断側面図であり、（ａ）は蓋体を約９０°開いた開状態、（ｂ）は蓋体を下方へスライドさせた収納状態を示している。
【図１１】蓋体を折り畳んで下方へスライドさせた収納状態を示している。
【符号の説明】
【００６５】
１  机
２，３  天板
５  コード取出用孔
６  コード取出用切欠き
７  配線カバー装置
８，９  枠体
８ｂ，９ｂ  上面
９ｃ  端縁側垂直面
１０，１１  蓋体
１２  蓋部
１２ａ  上蓋部
１２ｂ  端蓋部
１２ｃ  ねじりコイルばね
１３  回動支持部
１３ａ  スライド溝
１４，１５  側壁
１４ａ，１５ａ  内面
１４ｂ，１５ｂ  外面
１６  軸受孔
１７  周溝
１９  開放端縁
２１  ピボット体
２２  外側ピボット体
２３  内側ピボット体
２４  支軸部
２４ａ  スリット
２４ｂ  凹部
２４ｃ  爪
２４ｄ  段部
２５  フランジ部
２５ａ  当接面
２５ｂ  スリット
２６  凸部
２７  軸部
２７ａ  スリット
２７ｂ  凸部
２７ｃ  爪
２８  フランジ部
２８ａ  当接面
２９  スライド支持部
３０  押圧片
３１  凸部
３９  垂下片
４０，４１  支軸
４０ａ  ばね支軸
５１〜５３  凸部
【図１】
2006149733.tif 000003
【図２】
2006149733.tif 000004
【図３】
2006149733.tif 000005
【図４】
2006149733.tif 000006
【図５】
2006149733.tif 000007
【図６】
2006149733.tif 000008
【図７】
2006149733.tif 000009
【図８】
2006149733.tif 000010
【図９】
2006149733.tif 000011
【図１０】
2006149733.tif 000012
【図１１】
2006149733.tif 000013